(57)【要約】  本発明は、データ通信方法、データ通信システムおよび通信装置に関する。特に、本発明は、無線通信装置に関し、前記通信装置とデータネットワークとの間のブロードバンドインターネット接続が用いられる。前記ブロードバンドインターネット接続は、公開キーによる固有のポートのセキュリティ保護されたアクセスの使用により、前記無線通信装置とデータネットワークとの間に高いセキュリティ性を有する。
2009517899.tif 000002
【特許請求の範囲】
【請求項１】
少なくとも１つの通信装置（１０）と、少なくとも１つのトランスミッタボックス（２０）と、少なくとも１つの予め選択されたホストサーバ（３０）とを含む通信システム（１０００）を運用するためのデータ通信方法であって、前記通信装置（１０）を始動させた後、
（i）前記通信装置（１０）と、前記トランスミッタボックス（２０）との間の通信（１００）を確立するステップと、
（ii）前記予め選択されたホストサーバ（３０）のみへのアクセスを有し、固有のポートのセキュリティ保護されたアクセスを確立する前記トランスミッタボックス（２０）と、前記予め選択されたホストサーバ（３０）との間の接続（４００）を確立するステップと、
（iii）前記通信装置（１０）で、前記予め選択されたホストサーバ（３０）からのデータを受信するステップと、
（iv）前記通信装置（１０）のディスプレイ（１０ａ）上に、前記受信データを表示するステップと、
が実行されることを特徴とするデータ通信方法。
【請求項２】
前記通信装置（１０）が、前記トランスミッタボックス（２０）との無線通信を確立する、請求項１記載のデータ通信方法。
【請求項３】
通信装置（１０）が、家庭用またはオフィス用機器（１２）との通信を確立する、請求項１または２記載のデータ通信方法。
【請求項４】
通信（２００）が無線通信である、請求項３記載のデータ通信方法。
【請求項５】
無線通信（２００）が、BluetoothまたはZigBeeを介して行われる、請求項４記載のデータ通信方法。
【請求項６】
前記トランスミッタボックス（２０）と前記予め選択されたホストサーバ（３０）との間の接続（４００）が、ブロードバンドインターネットを介する、請求項１〜５のいずれか一項記載のデータ通信方法。
【請求項７】
前記通信装置（１０）が、ホストサーバ（３０）にデータを送信する、請求項１〜６のいずれか一項記載のデータ通信方法。
【請求項８】
前記データが映像データである、請求項７記載のデータ通信方法。
【請求項９】
前記データが画像データである、請求項７記載のデータ通信方法。
【請求項１０】
前記データが音声データである、請求項７記載のデータ通信方法。
【請求項１１】
前記データがテキストデータである、請求項７記載のデータ通信方法。
【請求項１２】
前記ブロードバンドインターネット接続が、ＷＬＡＮまたはＬＡＮを介して確立される、請求項６記載のデータ通信方法。
【請求項１３】
前記ブロードバンドインターネット接続（４００）が、モデム（２１）を介して確立される、請求項６記載のデータ通信方法。
【請求項１４】
ユーザが、前記通信装置（１０）上のタッチスクリーンＬＣＤパッド（１０ａ）によってデータを入力する、請求項１〜１３のいずれか一項記載のデータ通信方法。
【請求項１５】
前記少なくとも１つのホストサーバ（３０）が、少なくとも１つの情報サーバ（４０）への接続を確立する、請求項１〜１４のいずれか一項記載のデータ通信方法。
【請求項１６】
前記少なくとも１つのホストサーバ（３０）が、少なくとも１つのマルチメディアサーバ（５０）への接続を確立する、請求項１〜１４のいずれか一項記載のデータ通信方法。
【請求項１７】
前記少なくとも１つのホストサーバ（３０）が、少なくとも１つのデータベースサーバ（６０）への接続を確立する、請求項１〜１４のいずれか一項記載のデータ通信方法。
【請求項１８】
前記少なくとも１つのホストサーバ（３０）が、ホストアプリケーションを実行する、請求項１〜１７のいずれか一項記載のデータ通信方法。
【請求項１９】
前記通信装置（１０）が、前記家庭用またはオフィス用機器の認証（１１ｉ）を実行する、請求項３〜１８のいずれか一項記載のデータ通信方法。
【請求項２０】
前記無線通信装置（１０）が、セキュリティ保護されたBluetoothまたはZigBee XML暗号化チャネルを経由して、前記家庭用またはオフィス用機器（１１）とのデータ通信を実行する、請求項２〜２０のいずれか一項記載のデータ通信方法。
【請求項２１】
既定の公開キーが、固有のポートのセキュリティ保護されたアクセスによる前記ブロードバンドインターネット接続（４００）間で用いられる、請求項６〜２０のいずれか一項記載のデータ通信方法。
【請求項２２】
前記既定の公開キーが、前記家庭用またはオフィス用機器の機能性および状態を定義している、請求項２１記載のデータ通信方法。
【請求項２３】
前記少なくとも１つのホストサーバ（３０）が、少なくとも１つのマルチメディアデータベースとの接続を確立する、請求項１記載のデータ通信方法。
【請求項２４】
前記データベース（６０）のデータベース構造による家庭用またはオフィス用機器認証が実行される、請求項１〜２３のいずれか一項記載のデータ通信方法。
【請求項２５】
少なくとも１つの情報サーバが、ユーザ通信を実行する、請求項１５記載のデータ通信方法。
【請求項２６】
前記少なくとも１つの情報サーバが、インフォメーションオンデマンド用アプリケーションを実行する、請求項２５記載のデータ通信方法。
【請求項２７】
前記マルチメディアサーバが、マルチメディア製作および／またはマルチメディア圧縮および／またはマルチメディア配信を実行する、請求項１６記載のデータ通信方法。
【請求項２８】
無線電話またはＰＤＡ（携帯情報端末）と、前記無線通信装置（１０）との間の通信が実行される、請求項２〜２７のいずれか一項記載のデータ通信方法。
【請求項２９】
前記通信が、データネットワークを通じて実行される、請求項２８記載のデータ通信方法。
【請求項３０】
前記通信装置（１０）が、少なくとも１つの家庭用またはオフィス用コンテンツの供給、サポートおよび／またはバックアップ管理アプリケーションを実行する、請求項１〜２９のいずれか一項記載のデータ通信方法。
【請求項３１】
前記無線通信装置（１０）が、コンテンツ配信、ユーザ通信およびユーザ入力インターフェイス用アプリケーションを実行する、請求項１〜２９のいずれか一項記載のデータ通信方法。
【請求項３２】
前記通信装置（１０）が、ユーザ関連情報を含むコンテンツアプリケーション（６０ａ）からの情報を受信する、請求項１〜３１のいずれか一項記載のデータ通信方法。
【請求項３３】
ユーザが、インターネットを介して、コンテンツアプリケーション（６０ａ）にアクセスできる、請求項３２記載のデータ通信方法。
【請求項３４】
ユーザが、携帯電話（ＷＡＰ／ＧＰＲＳ／ＵＭＴＳ／３Ｇ）を介して、コンテンツアプリケーション（６０ａ）にアクセスできる、請求項３３記載のデータ通信方法。
【請求項３５】
前記コンテンツアプリケーション（６０ａ）が、所定のアーカイブ（６１、６２、６３、６４）との接続を有し、これにより前記アーカイブが、サーバおよびデータベースシステム（３０、４０、５０、６０）と接続する、請求項３３または３４記載のデータ通信方法。
【請求項３６】
前記少なくとも１つのデータベースシステム（６０）が、映像製作およびコンテンツサポートオフィス（５０）と接続する、請求項３５記載のデータ通信方法。
【請求項３７】
通信システム（１０００）外からの追加コンテンツが、情報モジュール（６６）を共有しているユーザによって、前記アーカイブに直接か、またはコンテンツ（６５）を通じて直接かもしくは前記映像製作およびコンテンツサポートオフィス（５０）を介するかして、前記アーカイブ（６１、６２、６３、６４）に運ばれることができる、請求項３５記載のデータ通信方法。
【請求項３８】
ユーザが、コンテンツオンデマンド用アプリケーションから、
少なくとも１つのインタラクティブマルチメディア、および／または、
少なくとも１つのコンテンツ用アプリケーションからライブサポート、および／または、
少なくとも１つのコンテンツ用アプリケーションから個別のユーザアーカイブへのアクセス、および／または、
少なくとも１つのコンテンツオンデマンド用アプリケーションからペイ・パー・ユーズアクティビティ、および／または、
少なくとも１つのコンテンツオンデマンド用アプリケーションから常時監視、および／または、
少なくとも１つのコンテンツオンデマンド用アプリケーションからＳＭＳアラーミング、および／または、
少なくとも１つのコンテンツオンデマンド用アプリケーションから使用制御、および／または、
少なくとも１つのアプリケーションから煙およびガス検出、および／または、
少なくとも１つのコンテンツオンデマンド用アプリケーションから節電
を受信する、請求項３５記載のデータ通信方法。
【請求項３９】
前記無線通信装置（１０）が、前記無線通信装置（１０）の所定の周辺領域で、ユーザ構成可能なイベント（５００）に関して、ＳＭＳおよび／または電子メール（１０ｆ）を介して前記ユーザに通知する、請求項２記載のデータ通信方法。
【請求項４０】
−少なくとも１つの通信装置（１０）と、
−前記通信装置（１０）との通信（１００）を有する、少なくとも１つのトランスミッタボックス（２０）と、
−少なくとも１つの予め選択されたホストサーバ（３０）とを含み、
前記トランスミッタボックス（２０）が、前記予め選択されたホストサーバ（３０）のみへのアクセスを有し、固有のポートのセキュリティ保護されたアクセスを確立し、
ホストサーバが、システムサーバ（４０、５０、６０）へのアクセスを有する、データ通信システム（１０００）。
【請求項４１】
無線通信（２００）を含む、請求項４０記載のデータ通信システム（１０００）。
【請求項４２】
前記通信が、前記無線通信装置（１０）から、少なくとも１つの家庭用またはオフィス用機器（１２）へのものである、請求項４１記載のデータ通信システム。
【請求項４３】
組み込み型無線モジュール（１１ａ）を介して、前記無線通信装置（１０）から、少なくとも１つの家庭用またはオフィス用機器（１１）への無線通信（３００）を有し、前記無線モジュール（１１ａ）が、少なくとも１つの家庭用またはオフィス用機器（１１）に組み込まれる、請求項４０〜４２のいずれか一項記載のデータ通信システム（１０００）。
【請求項４４】
前記トランスミッタボックス（２０）が、ＰＣ（２２）と接続する、請求項４０〜４３のいずれか一項記載のデータ通信システム（１０００）。
【請求項４５】
前記トランスミッタボックス（２０）が、ブロードバンドモデム（２１）と接続する、請求項４０〜４４のいずれか一項記載のデータ通信システム（１０００）。
【請求項４６】
前記無線通信（２００、３００）が、ZigBeeまたはBluetooth通信である、請求項４１〜４５のいずれか一項記載のデータ通信システム（１０００）。
【請求項４７】
前記トランスミッタボックス（２０）が、ルータと接続する、請求項４０〜４６のいずれか一項記載のデータ通信システム（１０００）。
【請求項４８】
前記トランスミッタボックス（２０）が、スイッチと接続される、請求項４０〜４６のいずれか一項記載のデータ通信システム（１０００）。
【請求項４９】
前記トランスミッタボックス（２０）が、少なくとも１つの予め選択されたホストサーバ（３０）とのブロードバンドインターネット接続を有する、請求項４０〜４６のいずれか一項記載のデータ通信システム（１０００）。
【請求項５０】
前記ブロードバンドインターネット接続が、ＤＳＬまたはケーブルモデム、電線である、請求項４９記載のデータ通信システム（１０００）。
【請求項５１】
前記トランスミッタボックス（２０）の、前記少なくとも１つの予め選択されたホストサーバ（３０）との前記通信が、閉鎖されたシステムである、請求項４０〜５０のいずれか一項記載のデータ通信システム（１０００）。
【請求項５２】
前記トランスミッタボックス（２０）の、前記少なくとも１つのホストサーバ（３０）との前記通信が、ウィルスに対する防御性が高い、請求項４０〜５１のいずれか一項記載のデータ通信システム（１０００）。
【請求項５３】
前記トランスミッタボックス（２０）が、セキュリティ保護された無線データトランスミッタを含む、請求項４０〜５２のいずれか一項記載のデータ通信システム（１０００）。
【請求項５４】
前記少なくとも１つの予め選択されたホストサーバ（３０）が、ホストアプリケーションを含む、請求項４０〜５３のいずれか一項記載のデータ通信システム（１０００）。
【請求項５５】
前記少なくとも１つの予め選択されたホストサーバ（３０）が、少なくとも１つのデータベースサーバ（６０）と接続する、請求項４０〜５４のいずれか一項記載のデータ通信システム（１０００）。
【請求項５６】
前記少なくとも１つの予め選択されたホストサーバ（３０）が、データベース（５０）を包含する少なくとも１つのマルチメディアサーバとの接続を有する、請求項４０〜５５のいずれか一項記載のデータ通信システム（１０００）。
【請求項５７】
前記データベースが、顧客情報、家庭用またはオフィス用機器認証および／または外部委託されたローカルインターネットショッピングインプリメンテーションを含む構造を有する、請求項５６記載のデータ通信システム（１０００）。
【請求項５８】
前記少なくとも１つのホストサーバ（３０）が、少なくとも１つの情報サーバと接続する、請求項４０〜５７のいずれか一項記載のデータ通信システム（１０００）。
【請求項５９】
前記情報サーバが、ユーザ通信を含む、請求項５８記載のデータ通信システム（１０００）。
【請求項６０】
前記情報サーバが、インフォメーションオンデマンド用アプリケーションを含む、請求項５８記載のデータ通信システム（１０００）。
【請求項６１】
前記少なくとも１つのマルチメディアサーバが、映像製作および／または映像圧縮および／または映像配信用に用いられる、請求項５６記載のデータ通信システム（１０００）。
【請求項６２】
コンテンツアプリケーションを含む、請求項４０〜６１のいずれか一項記載のデータ通信システム（１０００）。
【請求項６３】
前記コンテンツアプリケーションが、制御、管理、料理、健康、娯楽、子ども、通信およびメッセージング、カレンダ、リマインダ、サービスアラーミングまたは任意の他の家庭用またはオフィス用コンテンツに関する情報を含む、請求項６２記載のデータ通信システム（１０００）。
【請求項６４】
ユーザが、インターネット接続を介したコンテンツアプリケーションへのアクセスを有する、請求項６２または６３記載のデータ通信システム（１０００）。
【請求項６５】
前記無線通信装置（１０）が、リモートサービスおよびファームウェアアップグレードを含むリモートアプリケーションと接続する、請求項４０〜６４のいずれか一項記載のデータ通信システム（１０００）。
【請求項６６】
トランスミッタボックス（２０）との任意の無線通信（１００）のための第１のポートモジュールと、
少なくとも１つの家庭用機器（１１、１２）との任意の無線通信（２００、３００）のための第２のポートと、
モデム（２１）に接続され、前記少なくとも１つの予め選択されたホストサーバ（３０）への固有のポートのセキュリティ保護されたアクセスを有し、少なくとも１つの予め選択されたホストサーバ（３０）との間の任意の無線通信（４００）のためのトランスミッタボックス（２０）と、
ディスプレイモジュールと、
ＣＰＵモジュールと、
メモリモジュールと、さらに任意には、
１つ以上のスピーカと、
ウェブカメラと、
マイクロフォンと、
Bluetoothモジュールと、
ZigBeeモジュールと、
無線PCMCIA 802.１１gモジュールと、
煙およびガス検出器と、
非常ボタンと、
固有のファームウェアおよびアプリケーションモジュールと、
充電台モジュールと、
を含む、通信装置（１０）。
【請求項６７】
前記第１のポートモジュールが、BluetoothモジュールまたはZigBeeモジュールである、請求項６６記載の通信装置（１０）。
【請求項６８】
前記第２のポートモジュールが、ZigBeeモジュールまたはBluetoothモジュールである、請求項６６または６７記載の通信装置（１０）。
【請求項６９】
前記ディスプレイモジュールが、オンスクリーンキーボードを備えるタッチスクリーンＬＣＤパッドを含む、請求項６６〜６８のいずれか一項記載の通信装置（１０）。
【請求項７０】
前記タッチスクリーンＬＣＤパッドが、充電ユニットなしで、トランスミッタボックス（２０）の周囲のアクセス可能な半径内で取り外し可能である、請求項６６〜６９のいずれか一項記載の通信装置（１０）。
【請求項７１】
ガスおよび煙用アプリケーションを含む、請求項６６〜７０のいずれか一項記載の通信装置（１０）。
【請求項７２】
固有のファームウェアおよびアプリケーションを含む、請求項６６〜７１のいずれか一項記載の通信装置（１０）。
【請求項７３】
前記アプリケーションが、ＬｉｎｕｘオープンソースプラットフォームおよびＦｌａｓｈ／ＰＨＰインターフェイス、または任意の種類のプラットフォームおよびインターフェイスに基づく、請求項６６〜７２のいずれか一項記載の通信装置（１０）。
【請求項７４】
所定のハードウェア構成を含む、請求項６６〜７３のいずれか一項記載の通信装置（１０）。
【請求項７５】
ユーザインターフェイスを含む、請求項６６〜７４のいずれか一項記載の通信装置（１０）。
【請求項７６】
非常ボタンを含む、請求項６６〜７５のいずれか一項記載の通信装置（１０）。
【発明の詳細な説明】
【技術分野】
【０００１】
発明の分野
本発明は通信方法に関し、ユーザが自分の位置で、通信装置を介して、予め選択されたホストサーバのみと通信し、要求を受けて、求められた全てのサービスをユーザに提供し、ユーザを他のサーバへ経路付けする。特に、本発明は通信システムに関し、通信装置と、トランスミッタボックスと、トランスミッタボックスがアクセスを有し、固有のポートのセキュリティ保護されたアクセスを確立する少なくとも１つの予め選択されたホストサーバとを含み、ホストサーバは、他のシステムサーバへのアクセスを有する。
【０００２】
発明の背景
私たちの日常生活は、電子装置およびコンピュータによって便利になり、これらは、特にインターネットを介して、さまざまな異なる情報への広範なアクセスを可能にする。インターネットとの通信およびネットサーフィン用に、異なるコンピュータプログラムが使用可能であり、これらはいずれも、程度の差はあるが、コマンドの詳しい知識を必要とし、コマンドによってコンピュータプログラムが実行されて、情報へのアクセスが認められる。しかし、インターネットを使用しているほとんどの人は、同様の目的のみには役立つが、そのプログラムの特殊な点についての知識が必要となるような異なるコンピュータプログラムに直面することを好まない。
【０００３】
インターネットでのネットサーフィン時にユーザが直面しなければならない別の問題は、ユーザが、ユーザのコンピュータおよびそこに収容されたデータにアクセスしようと試みる第三者か、または問題を起こすためだけに、個人によってインターネットに放出されたウィルス／ワームかに立ち向かうことに存在する。ウィルス／ワームのパーソナルコンピュータ感染を防ぐファイアウォールおよびアンチウィルスシールド機能として利用可能であるコンピュータプログラムであっても、これらのコンピュータプログラムは、周期的なアップデートを必要とし、ユーザは、インターネットでのネットサーフィンを続ける前に、アップデートを行うように注意しなければならない。非常に懸念されるのは、ユーザと外部の相手、たとえば銀行との通信であり、侵入者によって危険にさらされるときがある。
【０００４】
パーソナルコンピュータは、インターネットを介した通信用に用いられる。これらのコンピュータは、通信用のコンピュータプログラムとは別に、記述用、計算用、メディアプロセッシング用等のコンピュータプログラムもまた内蔵している。コンピュータプログラムは、さらに拡張されて改良され、より一層の機能を装備しているため、コンピュータの処理能力もまた拡張されて、メモリおよびプロセッサの処理能力に対する増大する要求に対処する必要がある。このため、いったんパーソナルコンピュータが、場合によってはコンピュータプログラムとともに購入されてしまうと、コンピュータおよびプログラムの両方が、瞬く間に旧式になる。
【０００５】
上記の欠点を考慮して、上記の不利な点をなくす改良がされた通信方法およびシステムに対する要望がある。
【０００６】
発明の概要
本発明の全体的な目的は、通信装置とデータネットワークとの間のブロードバンドインターネット接続を提供すると同時に、外部の固有のユーザデータベースおよびデータストレージを含み、不測の事態へのセキュリティを提供するデータ通信方法、データ通信システムおよび通信装置を提供することにある。
【０００７】
本発明の目的は、クレームで定義される主題によって解決される。
【０００８】
図面の詳細な説明
添付の図面は、本発明のさらなる理解を提供するために含まれ、本明細書に組み入れられて、本明細書の一部を構成する。図面は、本発明の実施形態を図示し、明細書本文とともに、本発明の原理を説明する役割を果たす。
【０００９】
第１の態様では、本発明は、通信システムを運用するためのデータ通信方法を提供し、前記通信システムは、有線または無線を介して周囲と通信し得る、少なくとも１つの通信装置と、有線または無線を介して周囲と通信し得る、少なくとも１つのトランスミッタボックスと、通信装置が直接アクセスを有する唯一の外部サーバである、少なくとも１つの予め選択されたホストサーバとを含む。
【００１０】
ユーザが前記通信装置を起動した後、以下のステップが実行される。前記通信装置と前記トランスミッタボックスとの間で通信が確立され、トランスミッタボックスは、固定ラインかまたはブロードバンドインターネットかを介して、予め選択されたホストサーバとの接続を確立する。前記トランスミッタボックスは、好ましくは、前記少なくとも１つの予め選択されたホストサーバへの、固有のポートのセキュリティ保護されたアクセスを有する。ユーザはここで、前記通信装置で、前記ホストサーバからのデータを受信し、これらは、通信装置に含まれるディスプレイ上に表示され、および／または結果として、前記通信装置とユーザの位置にある機器との間の通信を確立する、
【００１１】
この種のシステムに含まれる主要な利点は、ユーザが、予め選択されたサーバのプロバイダによって提供された一つのタイプのコンピュータソフトウェアのみで作業することにあり、コンピュータプログラムは、ユーザが要求するすべてのサービスへのアクセス、たとえばインターネット、ワードプロセッシングプログラム、表計算等へのアクセスを有することが可能になる。したがって、さまざまな異なるブラウザに関する知識は、もはや必要なくなる。さらに、現在使用されている関連するコンピュータプログラムのすべて、たとえばワードプロセッシング、表計算、プレゼンテーションプログラム等が、前記予め選択されたサーバ上に備えられるため、これらの目的のためにいかなる最新のコンピュータプログラムも購入したり、またはそれらをアップデートしたりすることは、もはや必要なくなる。また、通信装置は単純な構造にしてもよいため、ユーザは、最新版のコンピュータプログラムに対処することが可能である最新かつ最速のパーソナルコンピュータを買う必要がない。とは言え、多くのユーザにとって、提供されるシステムセキュリティは、もっとも顕著な特徴となり得る。ユーザは、自分のファイアウォールまたはウィルスソフトを最新にアップデートして、自分のパーソナルコンピュータ上に置くことについて心配しなくてもよい。これらの技術的課題はすべて、予め選択されたパーソナルコンピュータを作動させるときに、プロバイダによって扱われ、ユーザはそれに対する固有の安全なアクセスを有する、すなわちそこで固有のＩＰ番号を有する。
【００１２】
さらなる好ましい実施形態では、システムの異なる物理的実体、たとえば通信装置、トランスミッタボックスおよび予め選択されたサーバの間の通信のすべてまたは一部は、無線で、たとえば、それらに限定されないが、Bluetooth、ZigBeeまたはWLANによって行ってもよい。
【００１３】
本システムは、家庭用またはオフィス用機器に連結させてもよく、ユーザは、同じ位置の、または離れた位置の家庭用またはオフィス用機器のいずれかと通信し得る。本発明に関連して、用語“家庭用またはオフィス用機器”は、広義に解釈されるものであり、本質的に、制御、管理、保守および監視され得る任意の電気装置をさすものである。非限定的な例は、たとえば、コンピュータ、パーソナル（家庭用またはオフィス用）ＰＣ、プリンタ、スキャナ、ファクシミリ装置、冷蔵庫、ファーネス、加熱装置、テレビ受像機、ＤＶＤ、オーディオセット、映像セット、ラジオ受信機、アラーム装置、洗濯機、皿洗い機、電子レンジ、冷凍庫、電話機等である。当然のことながら、通信装置と、家庭用またはオフィス用機器との間の通信は、無線で、たとえばBluetooth、ZigBeeまたはWLANによって行ってもよく、これによりそれぞれの家庭用またはオフィス用機器が、かようなタイプの通信、すなわちBluetoothまたはZigBeeもしくはWLANインターフェイスモジュールを、好ましくはプラグインインターフェイスモジュールを含むような通信に対して機器を適合させる装置を有することを保証し、別の実施形態では、電力停止についての自立性のための独自の充電式電源装置を有してもよい。このことは、機器の電力停止時（冷蔵庫等）には、前記無線通信装置がBluetoothプラグインインターフェイスモジュールからのデータを傍受するという利点を有する。
【００１４】
本発明の方法を行うために、通信装置１０は、以下に記載するステップ（Ｓ１００〜Ｓ１０３）を実行して、前記通信装置１０とトランスミッタボックス２０との間の任意の無線通信１００を構築し、そしてさらに前記トランスミッタボックス２０と、予め選択されたホストサーバ３０との間の通信４００を構築する。
【００１５】
通信装置１０は、送信されたおよび／または受信されたデータを表示するためのディスプレイモジュール、たとえばＬＣＤと、入力モジュール、たとえばキーボードとを含むユーザインターフェイスを用いるのみで実施することができ、１つの実施形態では、入力モジュールは、タッチスクリーン、たとえばタッチスクリーンパッドとしてディスプレイ内に組み入れられる場合がある。また、場合によっては、メモリモジュール、たとえばフラッシュメモリが含まれてもよい。
【００１６】
前記無線通信装置でタッチスクリーンＬＣＤパッドを用いることは、前記通信装置にデータを容易に入力でき、かつユーザ構成可能であるという利点を有する。前記タッチスクリーンＬＣＤパッドは、取り外し可能にしてもよく、このことは、前記通信装置はユーザ構成可能であるという利点を有する。好ましい実施形態では、通信装置１０は、データを無線で、たとえばBluetoothまたはZigBeeを用いて送信するように実施することができる。
【００１７】
通信装置は、トランスミッタボックスとの通信のための第１のポートモジュールと、少なくとも１つの家庭用またはオフィス用機器との通信のための第２のポートとを含むことができる。前記第１のポートまたは前記第２のポートモジュールは、BluetoothまたはZigBeeモジュールであってもよい。このことは、ホームまたまオフィス機器は、対応するモジュールをさらに含む場合、容易に遠隔管理、監視および制御することができるという利点を有する。
【００１８】
本発明のさらなる実施形態では、前記通信装置、特にディスプレイモジュールは、組み込み型の映像／音声通信サポート、たとえばウェブカメラおよびまたはスピーカマイクを含んでもよく、これにより前記通信装置の所定の周囲を制御、監視することができ、データネットワークユーザ間の映像／音声通信を確立することができる。
【００１９】
本発明の実施形態では、前記通信装置は、センサ、たとえばガスおよび煙検出用アプリケーション、固有のファームウェアおよびアプリケーション、またはＣＰＵを含んでもよく、このことは、前記装置はユーザ構成可能であるという利点を有する。本発明の実施形態では、前記無線通信装置は、充電台モジュールを含む。
【００２０】
本発明のさらなる実施形態では、前記無線通信装置は、非常ボタンをさらに含むことができ、これにより、非常時の容易な取扱いが可能になる。
【００２１】
前記任意の無線通信装置１０は、組み込み型の無線モジュールを有する家庭用またはオフィス用機器への任意の無線通信を確立できるようにしてもよい。そして、前記通信装置１０は、前記家庭用またはオフィス用機器と通信してもよく、前記家庭用またはオフィス用機器の稼動状態に関する情報を得ることができる。
【００２２】
第１のステップでは、前記通信装置１０は、前記通信装置１０と前記トランスミッタボックス２０との間で、任意の無線通信１００を確立する。無線通信用に、前記無線装置１０および前記無線トランスミッタボックス２０は、一体化された無線モジュール（802.１１gのセキュリティ保護された無線通信）を含む。
【００２３】
さらなるステップでは、前記トランスミッタボックス２０は、前記予め選択されたホストサーバ３０との接続を確立し、これは、固定ラインまたはブロードバンドインターネット接続を介して、たとえばＩＳＤＮカード、ブロードバンドモデム２１またはネットワークカードを介して達成され得る。１つの実施形態では、前記接続は、ブロードバンドモデムを介して確立され、これは、ブロードバンドインターネット接続を容易に構築することを可能にし、高速なデータ転送速度を実現するという利点を有する。
【００２４】
本発明の実施形態では、ユーザの位置における、予め選択されたサーバへの通信ラインとの前記接続は、ＷＬＡＮを介して確立され、このことは、ユーザが、ＷＬＡＮシステムによって提供される範囲内（たとえば、アクセス可能半径内）での自分の場所で、自分の位置を移動し得るという特有の利点をもたらす。
【００２５】
トランスミッタボックス２０は、少なくとも１つの予め選択されたホストサーバ３０のみへのアクセスを有し、このアクセスはセキュリティ保護され、第三者によって危険にさらされることがない。前記予め選択されたサーバ（３０）への、固有のポートのセキュリティ保護されたアクセスを用いることにより、本通信システムは、前記データネットワークのプロバイダによって提供される公開キーを用いることでセキュリティ保護される。
【００２６】
予め選択されたサーバ３０との接続／通信が確立された後、ユーザは、予め選択されたホストサーバ３０と、データを送受信、すなわち交換することができ、これは、場合によってはスピーカによって出力された音声データ、テキストデータ、数値データ、映像データ、画像データ、オーディオデータ等で実施され得る。サーバは、すべてのソフトウェアと、さらには基本的には、必要とされるすべてのハードウェアコンポーネントとを備えるため、通信装置１０は、従来のパーソナルコンピュータが標準的に内蔵するコンポーネントを含む必要がなく、予め選択されたサーバ３０との通信を許容するコンポーネントのみでよい。プロバイダは、予め選択されたサーバ３０上に、すべてを備える。
【００２７】
本発明の別の実施形態では、通信装置１０は、上で言及したように、家庭用またはオフィス用機器との接続／通信を有し、これは好ましくは無線で行われ、ユーザは、トランスミッタボックス２０とのデータ交換半径内のどこからでも、各家庭用またはオフィス用機器のいずれも管理、制御および／または監視することが可能である。
【００２８】
家庭用またはオフィス用機器との無線通信の場合、これらの機器には、各々を“無線対応可能”にする装置が必要とされ、これは、インターフェイス、たとえばBluetooth用またはZigBee用インターフェイスモジュールを含むことによって達成されてもよく、これらは好ましくはプラグイン形式で組み込むことができる。
【００２９】
基本的に、予め選択されたサーバは、ユーザがそれに対してのみのアクセスを有しており、数多くのサービスを提供し、たとえばユーザにパーソナルコンピュータを示したり、必要とされるすべてのハードウェアコンポーネント、たとえば最新のＣＰＵ、最新のグラフィックカード、最新のメモリ装置等を提供したり、仕事または余暇に必要とされるコンピュータプログラム、たとえばワードプロセッサ、表計算、およびさらにはメモリの空き容量等を最新のアップデートされた形式で提供したりし、ユーザは、企業にあっても個人であっても、最終的には、ユーザの通信装置を使用して、予め選択されたサーバ上で作業する。
【００３０】
予め選択されたサーバが、ユーザによって求められたサービスを、サーバ自体のデータベースに基づいて提供できない場合、ユーザは、インターネット内の他のサーバから前記データを取り出す。この場合、予め選択されたサーバは、ユーザの位置にある通信装置のみを有する、ユーザ用のファイアウォールおよびウィルス保護として機能する。予め選択されたサーバは、専門的に管理されるため、第三者による許可されていない侵入に対する保護用コンピュータプログラムが、常に最新版にアップデートされる。
【００３１】
本発明の実施形態では、前記少なくとも１つのホストサーバは、少なくとも１つの情報サーバまたはマルチメディアサーバ、もしくは任意の他のデータベースサーバ構造への接続を確立して、ホストサーバと情報サーバとの間で情報を交換し、最終的には、要求された情報、たとえば要求されたウェブサイト、呼び出された映像コンテンツ等を、ユーザに伝達する。
【００３２】
本発明の実施形態では、前記マルチメディアサーバは、製作されたマルチメディアファイルおよび／またはマルチメディア圧縮および／またはマルチメディア配信を実行して送り届けてもよく、このことは、本発明の方法がより最適化されたものになるという利点を有する。
【００３３】
本発明のさらなる実施形態では、前記予め選択されたホストサーバは、ホストアプリケーションを実行し、このことは、ホストサーバが最適に運用されるという利点を有し、データネットワークを管理、制御および監視するために用いることができる。
【００３４】
本発明のさらなる実施形態では、前記通信装置は、セキュリティ保護されたBluetoothまたはZigBee XML暗号化チャネルを経由して、前記家庭用またはオフィス用機器とのデータ通信を実行する。このことは、本発明の方法がさらにセキュリティ保護されるという利点を有する。
【００３５】
本発明のさらなる実施形態では、既定の公開キーが用いられる。このことは、本発明の方法がさらにセキュリティ保護されるという利点を有する。
【００３６】
本発明のさらなる実施形態では、前記既定の公開キーは、前記家庭用またはオフィス用機器の機能性および状態を定義している。このことは、本発明の方法がさらにセキュリティ保護されるという利点を有する。
【００３７】
本発明のさらなる実施形態では、少なくとも１つの携帯電話またはＰＤＡと、前記通信装置１０との間の通信が実行され、ユーザは、通信装置１０から離隔した位置にいる場合でも通知され得る。このように、前記通信装置１０は、通信装置自体が取る動作に関して、受信／送信された情報に関して、および前記家庭用またはオフィス用機器もしくはその周囲の状況／動作に関して、前記携帯電話またはそのユーザに通知することができる。通信装置１０から離隔したユーザは、たとえばＳＭＳ、電子メール、または音声メールを介して通知されてもよい。さらなる実施形態では、携帯電話またはＰＤＡ間の家庭またはオフィス外の通信は、データネットワークシステムを通じて実行され得る。
【００３８】
本発明のさらなる実施形態では、前記通信装置１０は、少なくとも１つの家庭用またはオフィス用コンテンツの供給、サポートおよび／またはバックアップ管理アプリケーションを実行する。このことは、本発明の方法がより最適化されたものになるという利点を有する。
【００３９】
本発明のさらなる実施形態では、前記無線通信装置は、コンテンツ配信およびユーザ通信用アプリケーションを実行し、本発明の方法がより最適化されたものになるという利点を備える。
【００４０】
本発明のさらなる実施形態では、前記無線通信装置は、ユーザ関連情報を含むコンテンツアプリケーションからの情報を受信し、本発明の方法がより最適化されたものになるという利点を備える。
【００４１】
本発明のさらなる実施形態では、ユーザは、インターネット、携帯またはＰＤＡを介して、コンテンツアプリケーション（３０）にアクセスできる。このことは、ユーザが前記通信システムを最適化できるという利点を有する。
【００４２】
本発明のさらなる実施形態では、前記コンテンツアプリケーションは、所定のアーカイブとの接続を有し、これにより前記アーカイブは、少なくとも１つのデータベースシステムと接続する。
【００４３】
本発明のさらなる実施形態では、前記少なくとも１つのデータベースシステムは、マルチメディア製作およびコンテンツサポートオフィスと接続する。このことは、本発明の方法がより最適化され、ユーザ構成可能なものになるという利点を有する。
【００４４】
本発明のさらなる実施形態では、通信システム外部からの追加コンテンツは、直接前記アーカイブに、または前記マルチメディア製作およびコンテンツサポートオフィスを介して前記アーカイブに届けることができる。このことは、本発明の方法がより最適化され、ユーザ構成可能なものになるという利点を有する。
【００４５】
本発明のさらなる実施形態では、ユーザは、コンテンツオンデマンド用アプリケーションから、少なくとも１つのインタラクティブな映像を、および／または少なくとも１つのコンテンツアプリケーションからライブサポートを、および／または少なくとも１つのコンテンツアプリケーションから個別のユーザアーカイブへのアクセスを、および／または少なくとも１つのコンテンツオンデマンド用アプリケーションからペイ・パー・ユーズアクティビティを、および／または少なくとも１つのコンテンツオンデマンド用アプリケーションから常時監視を、および／または少なくとも１つのコンテンツオンデマンド用アプリケーションからＳＭＳアラーミングを、および／または少なくとも１つのコンテンツオンデマンド用アプリケーションから使用制御用を、および／または少なくとも１つのコンテンツオンデマンド用アプリケーションから節電を、受信する。このことは、本発明の方法がより最適化されたものになるという利点を有する。
【００４６】
本発明のさらなる実施形態では、前記無線通信装置は、データネットワークを介して、前記無線通信装置の所定の周囲領域での所定のイベント、たとえば煙、浸水またはガスに関して、ＳＭＳおよび／または電子メールをユーザに通知する。このことは、本発明の方法がより最適化されたものになるという利点を有する。
【００４７】
本発明のさらなる態様では、少なくとも１つの通信デバイス１０と、前記通信装置１０と通信する少なくとも１つのトランスミッタボックス２０と、前記少なくとも１つの無線トランスミッタボックス２０との接続を有する少なくとも１つのホストサーバ３０とを含み、前記トランスミッタボックス２０は、前記少なくとも１つのホストサーバ３０のみへのアクセスを有す、データ通信システムが提供される。１つの実施形態では、物理的実体間の通信は、たとえばBluetooth、ZigBeeおよび／またはWLANによる無線であってもよい。
【００４８】
このことは、前記データ通信によって、セキュリティ保護され、安価で最適化されたデータの通信、格納およびバックアップが可能になるという利点を有する。
【００４９】
本発明のさらなる実施形態では、前記通信システムは、インターフェイス、たとえばBluetooth用またはZigBee用もしくはWLAN用インターフェイスを介する、無線通信装置から少なくとも１つの家庭用またはオフィス用機器への無線通信を有し、インターフェイスはプラグイン形式で取り入れられてもよい。このことは、ケーブルおよび他の電子装置をさらに設置することなく、家庭用またはオフィス用機器がユーザによって容易に管理、制御および監視され得るという利点を有する。
【００５０】
本発明のさらなる実施形態では、前記通信システムは組み込み型無線モジュールを介して、前記無線通信装置から、少なくとも１つの家庭用またはオフィス用機器への無線通信を有し、前記無線モジュールは、少なくとも１つの家庭用またはオフィス用機器に組み込まれる。このことは、ケーブルおよび他の電子装置をさらに設置することなく、家庭用またはオフィス用機器がユーザによって容易に管理、制御および監視され得るという利点を有する。
【００５１】
本発明のさらなる実施形態では、前記無線トランスミッタボックスは、パーソナルＰＣなしに接続され、このことは、前記通信システムが、独立したホームまたはオフィスネットワークを確立し、さらにセキュリティ保護され、最適化され、ユーザ構成可能になるという利点を有する。
【００５２】
本発明のさらなる実施形態では、前記通信システムは、パーソナルＰＣによって接続され、最適化されたものにすることができる。このことは、本発明の通信システムが、より最適化されたものになるという利点を有する。
【００５３】
本発明のさらなる実施形態では、前記無線トランスミッタボックスは、ブロードバンドモデムと接続する。このことは、本発明の通信システムが、より最適化されたものになるという利点を有する。
【００５４】
本発明のさらなる実施形態では、前記無線トランスミッタボックスは、ブロードバンドモデムと、家庭用またはオフィス用ＰＣとの間に接続することができる。このことは、本発明の通信システムが、より最適化されたものになるという利点を有する。
【００５５】
本発明のさらなる実施形態では、前記無線トランスミッタボックスは、次の予め選択されたホストサーバ３０にユーザを案内し得るルータか、またはスイッチかに接続される。このことは、本発明の通信システムが、より最適化されたものになるという利点を有する。
【００５６】
本発明のさらなる実施形態では、前記無線トランスミッタボックスは、少なくとも１つのホストサーバとのブロードバンドインターネット接続を有する。このことは、本通信システムが、固有のポートのセキュリティ保護されたアクセス経由でのホストサーバへのアクセスを有し、これがデータの転送速度を高め、ユーザと前記データネットワークとの間のデータ転送のセキュリティを高めるという利点を有する。
【００５７】
本発明のさらなる実施形態では、前記接続は、ＩＳＤＮ、ＤＳＬ、ケーブルまたは任意の他の種類のブロードバンドインターネット接続である。このことは、前記ブロードバンドインターネット接続を経由して、より多量のデータを転送できるという利点を有する。
【００５８】
１つの実施形態では、前記無線トランスミッタボックスは、固有のポートのセキュリティ保護されたアクセスを有する。このことは、前記通信システムが、さらにセキュリティ保護されるという利点を有する。
【００５９】
前記トランスミッタボックスと、前記少なくとも１つの予め選択されたホストサーバ３０との通信は、閉鎖されたシステムであるため、本システムはセキュリティ保護され、ウィルスに対する防御性が高い。
【００６０】
本発明のさらなる実施形態では、前記無線トランスミッタボックスは、ファームウェアおよび／またはプラグ・アンド・プレイを含み、これによりシステムがよりユーザフレンドリになり、最適化され、および／またはデータが無線でセキュリティ保護されて送信される。このことは、前記通信システムが、さらにセキュリティ保護されるという利点を有する。
【００６１】
本発明のさらなる実施形態では、前記少なくとも１つのホストサーバは、ホストアプリケーションを含む。このことは、前記通信システムが、より最適化されたものになるという利点を有する。
【００６２】
本発明のさらなる実施形態では、前記少なくとも１つのホストサーバは、データベースサーバと接続する。このことは、前記通信システムが、より最適かつユーザ構成可能になるという利点を有する。
【００６３】
本発明のさらなる実施形態では、前記少なくとも１つのホストサーバは、映像データベースサーバと接続する。このことは、前記通信システムが、より最適かつユーザ構成可能になるという利点を有する。
【００６４】
本発明のさらなる実施形態では、前記データベースは、所定のデータベース構造を有する。このことは、前記通信システムが、より最適かつユーザ構成可能になるという利点を有する。
【００６５】
本発明のさらなる実施形態では、前記データベース構造は、顧客情報および家庭用またはオフィス用機器認証を含む。このことは、前記通信システムが、より最適かつユーザ構成可能になるという利点を有する。
【００６６】
本発明のさらなる実施形態では、前記データベース構造は、任意の外部委託されたローカルインターネットショッピングインプリメンテーションを含む。このことは、前記通信システムが、より最適かつユーザ構成可能になるという利点を有する。
【００６７】
本発明のさらなる実施形態では、前記少なくとも１つのホストサーバは、情報サーバと接続している。このことは、前記通信システムが、より最適かつユーザ構成可能になるという利点を有する。
【００６８】
本発明のさらなる実施形態では、前記少なくとも１つのホストサーバは、マルチメディアサーバと接続する。このことは、前記通信システムが、より最適かつユーザ構成可能になるという利点を有する。
【００６９】
本発明のさらなる実施形態では、前記情報サーバは、ユーザ通信モジュールを含む。このことは、前記通信システムが、より最適かつユーザ構成可能になるという利点を有する。
【００７０】
本発明のさらなる実施形態では、前記情報サーバは、インフォメーションオンデマンド用アプリケーションを含む。このことは、前記通信システムが、より最適かつユーザ構成可能になるという利点を有する。
【００７１】
本発明のさらなる実施形態では、前記マルチメディアサーバは、映像製作および／または映像圧縮および／または映像配信のために用いられる。このことは、前記通信システムが、より最適かつユーザ構成可能になるという利点を有する。
【００７２】
本発明のさらなる実施形態では、前記通信システムは、コンテンツアプリケーションを含む。このことは、前記通信システムが、さらにユーザ構成可能になるという利点を有する。
【００７３】
本発明のさらなる実施形態では、前記コンテンツアプリケーションは、制御、管理、料理、健康、娯楽、子ども、通信およびメッセージング、ワードプロセッシングプログラム、表計算、カレンダ、リマインダ、サービスアラーミング、および他のすべての家庭用またはオフィス用コンテンツの供給、サポートおよび／またはバックアップ管理アプリケーションに関する情報を含む。このことは、前記通信システムが、さらにユーザ構成可能になるという利点を有する。
【００７４】
本発明のさらなる実施形態では、ユーザは、インターネット接続、携帯またはＰＤＡを経由したコンテンツアプリケーションへのアクセスを有する。このことは、ユーザが前記アプリケーションへのアクセスを有し、各自の設定を変更してコンテンツを提案することができるという利点を有する。
【００７５】
本発明のさらなる実施形態では、前記無線通信装置は、サービスおよびファームウェアのアップグレードを含むリモートアプリケーションと接続する。このことは、前記通信システムが、より最適かつユーザ構成可能になるという利点を有する。
【００７６】
本発明の実施形態では、前記アプリケーションは、任意の種類のプラットフォームおよびインターフェイスに基づく。このことは、前記装置が、よりユーザ構成可能かつ最適化されたものになるという利点を有する。
【００７７】
本発明の利点は、本発明の読み手においては、本発明の実施形態を参照して、詳細な説明を読めば明らかとなり、これらに基づいて、本発明の概念は容易に理解可能である。
【００７８】
詳細な説明および添付図面全体を通して、明確にすることを目的として、同じまたは類似の構成要素、ユニットまたは装置は、同じ参照番号によって参照される。
【００７９】
図面の詳細な説明
図１ａには、通信システム１０００を運用するためのデータ通信方法の体系的なステップが図示されている。
【００８０】
それによると、前記通信システム１０００は、少なくとも１つの無線通信装置１０と、少なくとも１つの無線トランスミッタボックス２０と、少なくとも１つのホストサーバ３０とを含み、少なくとも１つのBluetoothプラグインインターフェイス１２ａを含むことができる。
【００８１】
ステップ１０２では、前記無線通信装置１０は、前記ブロードバンドインターネット接続４００を経由して、前記ホストサーバ３０からのデータを受信している。これらのデータは、映像データ、画像データ、音声データ、テキストデータ、数値データまたは任意の種類のマルチメディアにすることができる。前記ブロードバンドインターネット接続４００では、前記無線トランスミッタボックス２０は、前記ホストサーバ３０への固有のポートのセキュリティ保護されたアクセスを有し、前記ホストサーバ３０からデータを受信している。このように、前記通信システムは閉鎖されたシステムであり、ウィルスに対する防御性が高い。ホストサーバ３０と、マルチメディアサーバ５０と、情報サーバ４０とを含む前記サーバネットワークのプロバイダによって提供される公開キーを用いることにより、前記無線トランスミッタボックス２０と、前記ホストサーバ３０との間で、前記ブロードバンドインターネット接続４００を経由した暗号化通信が確立される。ここで、固有のポートのセキュリティ保護されたアクセスとは、データ転送時に、データパケットが、前記ホストサーバ３０の固有のポートに宛てられて、セキュリティ保護された無線接続によって、前記無線通信装置１０に配信されることを意味する。
【００８２】
さらなるステップ１０３では、前記無線通信装置１０は、前記無線通信装置１０のディスプレイ１０ａ上に、前記受信データを表示している。そしてユーザは、前記ディスプレイ１０ａ上で、テキストデータ、映像データ、画像データ等であることが可能な受信データを見ることができる。
【００８３】
また、ユーザが、ステップ１０４（図示せず）で、前記無線通信装置１０によって、前記少なくとも１つのホストサーバ３０に、データおよび／または音声および／または映像を送信できることが考えられる。したがって、ユーザは、特定のデータベース構造を備えるユーザ専用のデータベースサーバ６０を構成できる。または、前記ユーザは、前記通信システムによって、ライブストリーミング音声／映像アプリケーションを介して、他のユーザと通信できる。ユーザデータは、前記少なくとも１つのホストサーバおよび他のサーバ、たとえば情報サーバ、マルチメディアサーバ（図２で後述）を管理している前記データネットワークのプロバイダにて格納される。
【００８４】
図１には、本発明による、異なる家庭用またはオフィス用機器１１、１２を備える無線通信装置１０の配置が図示されている。
【００８５】
そのような家庭用またはオフィス用機器は、たとえばコンピュータ、家庭用またはオフィス用ＰＣ、冷蔵庫、ファーネス、加熱装置、テレビ受像機、ラジオ受信機、オーディオセット、ファックス機、プリンタ、電話、アラーム装置、洗濯機、皿洗い機、電子レンジ、冷凍庫、無線端末装置等にすることができる。
【００８６】
そのために、無線通信装置１０は、ディスプレイ１０ａを含み、前記ディスプレイは、取り外し可能なタッチスクリーンＬＣＤパッドにすることができ、それによりユーザは、データを入力し、前記ディスプレイによって表示される、たとえばテキスト、画像または映像を見ることが可能になる。
【００８７】
さらに、前記無線通信装置１０は、通信システムを稼動させる固有のファームウェアおよびアプリケーション１０ｂと、BluetoothおよびZigBee無線モジュールと、PCMCIA 802.１１g無線接続とを含む。さらに、前記無線通信装置１０は、組み込み型ウェブカメラ１０ｂを含み、これにより前記無線通信装置１０の周囲を制御して監視することが可能になる。さらに、このウェブカメラはまた、映像メモ用および他の機能、たとえば携帯電話またはＰＤＡ等の携帯端末装置１０ｆと、前記無線通信装置１０との間の、データネットワークを通じたUMTSまたは３G等の携帯ストリーミング通信用に用いてもよい。結果として、すべての運用は、前記データネットワークのプロバイダ側で実行され、ユーザには、余分なゲートウェイが必要とされない。
【００８８】
さらに、前記無線通信装置１０は、電源（図示せず）および充電台１０ｅを含み、前記無線通信デバイス１０が電力供給される。さらに、前記無線通信装置１０は、追加のバッテリを備えて、電力が停止した場合に、前記無線通信装置１０に電力を供給することができる。
【００８９】
図示された通信システムでは、前記無線通信装置１０は、無線トランスミッタボックス２０への無線通信１００を有し、無線トランスミッタボックスは、他の家庭用またはオフィス用接続から独立して接続され、通信ポート２０ａ、２０ｂを含み、ブロードバンドモデム２１と、家庭用またはオフィス用ＰＣ２２とが、前記無線トランスミッタボックス２０の前記通信ポート２０ａ、２０ｂと接続される。さらなるステップ（図２に示す）では、前記無線トランスミッタボックス２０は、前記ブロードバンドモデム２１によって、データネットワークの少なくとも１つのホストサーバ３０へのブロードバンドインターネット接続４００を構築している。前記データネットワークは、所定のネットワークプロバイダによって管理される。
【００９０】
さらに、前記無線通信装置１０を備える図示された通信システム１０００は、上述のように、家庭用またはオフィス用機器１２への無線通信２００を有し、前記家庭用またはオフィス用機器は、前記家庭用またはオフィス用機器の製造元によってすでに組み込まれた組み込み型モジュールを有していない。したがって、専用のBluetoothプラグインインターフェイス１２ａが前記家庭用またはオフィス用機器と接続されて、たとえば前記家庭用またはオフィス用機器１２と前記無線通信装置１０との間の無線通信２００を提供する。前記無線通信装置１０と前記家庭用またはオフィス用機器１２との間の無線通信によって、前記無線通信装置１０による前記家庭用またはオフィス用機器１２の状態の制御および監視が可能になる。
【００９１】
また、前記無線通信装置１０は、組み込み型無線モジュール１１ａを予め有する家庭用またはオフィス用機器１１への無線通信３００を有することが可能である。このために、組み込み型無線モジュール１１ａは、そのような家庭用またはオフィス用機器の製造元で予め組み込まれる。前記無線通信装置１０と前記家庭用またはオフィス用機器１１との間の無線通信によって、前記無線通信装置１０による前記家庭用またはオフィス用機器１１の状態の制御および監視が可能になる。
【００９２】
さらに注目されるのは、前記Bluetoothプラグインインターフェイスは、ホーム差込口につながれることである。前記Bluetoothプラグインインターフェイスは、バッテリをさらに装備し、電力停止時に、前記Bluetoothプラグインインターフェイスとの間の通信がセキュリティ保護されるようにする。
【００９３】
図２には、無線通信装置１０の配置が図示され、前記無線通信装置１０は、異なる家庭用またはオフィス用機器との無線通信を有し、これにより、前記無線通信装置１０はトランスミッタボックス２０を通じた、データネットワークへのブロードバンドインターネット接続４００を有する。
【００９４】
このように、前記無線通信装置１０は、無線通信802.１１gを有し、これは、任意の種類のローカル無線インターネットプロバイダ（８００）が、接地接続とは無関係に、装置１０がデータネットワークへの接続を確立できる領域内に存在する場合に備えて組み込まれる。
【００９５】
このために、前記無線通信装置１０は、無線Bluetoothプラグインインターフェイス１２ａによる、家庭用またはオフィス用機器１１、１２との無線通信を有する。無線通信装置１０は、特定のハードウェア構成１０ｇを有し、これにより前記通信システムの最適化された稼動が可能になる。さらに、前記無線通信装置１０は、特定のアプリケーション、ユーザインターフェイス、ファームウェア、および前記無線通信装置１０の周囲でのガスおよび／または水および／または煙を警告するためのアプリケーションを含む。
【００９６】
さらに、前記無線通信装置１０は、前記無線通信２００を経由して、前記家庭用またはオフィス用機器１１、１２の認証１１ｉを実行し、前記無線通信は、セキュリティ保護されたBluetoothまたはZigBee XML暗号化通信１０ｊにすることができ、通信システムはさらにセキュリティ保護され、最適化されたものになる。
【００９７】
無線通信装置１０は、前記無線トランスミッタボックス２０への無線通信を有し、これにより、データネットワークの少なくとも１つのホストサーバとのブロードバンドインターネット接続４００が構築される。このため、前記ブロードバンドインターネット接続４００の最低送信速度は、１Ｍｂｐｓ（メガビット／秒）よりも高速である。
【００９８】
さらに、前記無線トランスミッタボックス２０は、前記ブロードバンドインターネット接続４００を経由した、前記ホストサーバ３０への固有のポートのセキュリティ保護されたアクセスを有する。このように、前記通信システムは閉鎖されたシステムであり、ウィルスに対する防御性が高い。ホストサーバ３０と、マルチメディアサーバ５０と、情報サーバ４０とを含む前記サーバネットワークのプロバイダによって提供される公開キーを用いることにより、前記無線トランスミッタボックス２０と、前記ホストサーバ３０との間で、前記ブロードバンドインターネット接続４００を経由した暗号化通信が確立される。したがって、固有のポートのセキュリティ保護されたアクセスとは、データ転送時に、データパケットが、前記ホストサーバの固有のポートと、前記無線通信装置１０とに宛てられることを意味する。
【００９９】
前記ブロードバンドインターネット接続４００を構築するために、前記無線トランスミッタボックス２０は、ブロードバンドモデム２１に接続される。前記無線トランスミッタボックス２０は、特定のファームウェア、プラグ・アンド・プレイおよびセキュリティ保護された無線データトランスミッタを装備する。
【０１００】
さらに、図２には、前記予め選択されたホストサーバ３０が、任意の種類の異なるデータベース６０、たとえばユーザデータベースまたはマルチメディアデータベースへの接続を有することが示され、ここで前記データベースは、特定のデータベース構造を有する。これらのデータベース６０では、異なるユーザ特有のデータ、たとえばユーザアーカイブが保存される。
【０１０１】
前記ホストサーバ３０はまた、情報サーバ４０と接続し、情報サーバは、ユーザ通信およびインフォメーションオンデマンド用アプリケーションを実行し、前記ホストサーバ３０にデータを転送する。
【０１０２】
前記予め選択されたホストサーバ３０はまた、マルチメディアサーバ５０と接続し、マルチメディアサーバは、映像製作、映像圧縮および配信を実行し、前記ホストサーバに前記実行データを転送する。
【０１０３】
前記少なくとも１つのホストサーバ３０は、前記ブロードバンドインターネット接続４００を経由して、前記無線トランスミッタボックス２０にデータを転送し、ここから無線通信１００によって、前記データが前記無線通信装置１０に転送され、ここで前記データは前記ディスプレイ１０ａに表示される。
【０１０４】
図３には、前記のコンテンツ配信およびユーザ通信用アプリケーション６０ａの詳細が図示されている。ここで、前記コンテンツ配信およびユーザ通信用アプリケーションは、たとえばインタラクティブマルチメディアおよび他のコンテンツオンデマンド６１から、たとえばライブサポートオンデマンド６２から、たとえば個別のユーザアーカイブ６３または付加サービス６４から、データを受信し、これによって、上述のように、前記アプリケーション６１、６２、６３および６４のコンテンツ６５が、直接か、またはマルチメディア製作およびコンテンツサポートオフィス５０およびデータベースシステム６０を介するかして入力される。
【０１０５】
前記インタラクティブ映像および他のコンテンツオンデマンド６１は、通信システム１０００または前記無線通信装置１０の使用に関するよくある質問（ＦＡＱ）および既知の解答を含み、ユーザが、通信システム１０００またはユーザの無線通信装置１０をより容易に稼動させることを助ける。
【０１０６】
ライブサポートオンデマンド６２では、ユーザは、非常時（事故等）に、前記無線通信システムを経由して、通信システムから情報を受信する。これにより、ユーザは、サービスのアクティビティをアクティブにすることができる。
【０１０７】
個別のユーザアーカイブ６３では、ユーザは、ユーザが特に関心を持つユーザ構成可能な情報を受信することができる。
【０１０８】
付加サービス６４は、たとえば、いわゆるペイ・パー・ユーズアクティビティと、無線通信装置１０の周囲および前記無線通信装置１０に接続された機器の常時監視とに加え、ユーザの携帯電話または他の携帯端末装置、たとえばＰＤＡに、ＳＭＳまたは電子メールを送るＳＭＳアラーミングを含む。さらに、前記付加サービス６４は、前記通信システムの使用制御および節電を含み、このことは、家庭用またはオフィス用機器を、たとえばその電力消費を考慮してより経済的に作動させる。
【０１０９】
これらのアプリケーション６１、６２、６３および６４は、データベースシステム６０と接続され、ここで、前記ユーザ特有の設定が保存され、またユーザによって、上述の前記固有のポートのセキュリティ保護されたアクセスを介して、前記ブロードバンドインターネット接続を経由して、またはインターネットへの直接アクセスを介して、もしくは前記データネットワークのプロバイダへの電話連絡等によって、設定を変えることもできる。
【０１１０】
前記コンテンツ配信およびユーザ通信用アプリケーション６０ａでは、前記データベースシステムはマルチメディア製作およびコンテンツサポートおよび／またはバックアップオフィス５０に接続され、このことは、前記通信システムを最適化されたものにすることを助け、よりユーザ構成可能にする。
【０１１１】
図３からは、前記無線通信装置１０が、携帯端末装置、たとえば携帯電話またはＰＤＡ（携帯型情報端末）１０ｆへのモバイル接続５００を有することが分かるであろう。このモバイル接続５００により、前記無線通信装置１０は、ユーザが前記無線通信装置１０から遠く離れている場合に、データネットワークを通じて前記携帯端末装置と通信することが可能になる。そして、本通信システムは、前記ユーザに、前記無線通信装置１０と無線通信している機器の制御および監視状況に関してか、あるいは前記無線通信装置１０の所定の周囲の状況（ガス、水、煙）かを通知する。他方で、前記ユーザはまた、前記無線通信装置１０の管理、制御および／または監視状況を変えることが可能である。さらに、ユーザは、前記無線通信装置１０を用いて、前記データネットワークのさらなるデータおよび情報を保管することが可能である。さらに、ユーザは、システムのユーザのお気に入りにアクセスして、家庭またはオフィス外で有用に用いる（ショッピングリスト、レシピ等）ことが可能である。
【０１１２】
さらに、図３からは、前記無線通信装置１０と、異なる機器（図２の１１、１２）との間の、製造元に依存しない無線通信２００、３００が確立されていることが分かるであろう。この無線通信は、BluetoothまたはZigBee通信によって確立される。前記無線通信装置１０と、異なる機器（図２の１１、１２）との間の、前記製造元に依存しない無線通信２００、３００によって、前記家庭用またはオフィス用機器の製造元による新規アップデートが提供され、ユーザは、ユーザの機器のためのユーザ関連の最新であるデータおよび情報を受信する。
【０１１３】
さらに、無線通信装置１０は、さらに家庭用またはオフィス用機器製造会社７０によってサポートされ、製造会社は、機器の機能性および状態を定義する既定の公開キーを備えた暗号化ＸＭＬチャネルを通じて、データを転送する。家庭用またはオフィス用機器に関する前記データ転送によって、前記通信をより最適化することができ、よりユーザ構成可能になる。
【０１１４】
前記無線通信装置１０は、いわゆる家庭用またはオフィス用コンテンツの供給、サポートおよび／またはバックアップ管理アプリケーションを実行する。これにより、本発明の通信システムは、ユーザの使用にとってより快適になり、より最適化することが可能になる。
【０１１５】
図４には、前記コンテンツアプリケーションデータベースの詳細が図示され、たとえば、制御および管理、料理、健康、娯楽、子ども、通信およびメッセージング、カレンダ／リマインダおよびサービスならびにアラーミング等のトピックを含む場合がある。
【０１１６】
制御および管理に関しては、たとえば、機器の認証、通信システムおよび機器の状態に関する情報、節電機能、および離隔した機器の制御および管理、ならびに前記離隔した機器のプリプログラミングが理解され得る。
【０１１７】
料理分野に関するデータベースでは、料理のレシピ、映像でのレシピ、１対１で同期した映像での調理、ダイエットメニューまたは家族のショッピングリストを保存することができ、そのようなレシピおよびリストのＳＭＳでのエクスポートが可能である。
【０１１８】
健康分野に関するデータベースでは、食品の健康への影響に関する情報、天然抗生物質、警告付きの家族のアレルギーメモ、ハンディ版応急処置アドバイス、メッセージアドバイス、エアロビクスおよび練習に関する情報が保存され得ることが考えられる。
【０１１９】
さらに、娯楽分野に関するデータベースでは、ＭＰ３ファイル、テレビファイル、ローカルまたはインターネットラジオに関する情報、ムービーオンデマンド、ユーザのお気に入りに関するライブラリが保存され得ることが考えられる。
【０１２０】
さらに、子ども分野に関するデータベースでは、出産前後のアドバイスに関する情報、成功事例のデータベース、乳児監視およびアラーミング、教育ゲームが保存され得る。
【０１２１】
さらに、通信およびメッセージング分野に関するデータベースでは、映像チャット通信、ライブ映像／ストリーミング通信、映像およびテキストメモ、ＶＯＩＰソリューション、ライブ常時映像使用ヘルプセンタに関する情報が保存され得ることが分かる。
【０１２２】
さらに、カレンダ／リマインダ分野に関するデータベースでは、家族およびユーザのイベントカレンダ、アラーム時計、イベントリマインダ、ＩＰ（インターネットプロトコル）位置に基づくローカルな天気予報が保存され得る。
【０１２３】
さらに、サービスおよびアラーミングに関するデータベースでは、映像による機器のユーザマニュアル、ＳＭＳによるユーザへのアラーミングまたは任意のオフィシャルサービス電子メールのリクエストが保存され得る。
【０１２４】
さらに、家庭またはオフィスおよび周囲の分野に関するデータベースでは、在宅ヘルプ、ガーデニング、オンデマンドでの医者に関するマルチメディアが保存され得る。
【０１２５】
また、図４には、ユーザが、インターネットを経由した、前記アプリケーション６０ａへのいわゆるWWWアクセス６０ｂを有していてもよいことが示されている。このことは、ユーザ自身の個人的なユーザ構成可能な設定およびデータを変更して管理することができることを意味する。ユーザは、たとえば、自分の所在を入力することができるか、またはシステムが、ユーザのＩＰ位置、携帯端末装置１０ｆを介して、または前記無線通信装置１０を介して、前記ユーザの所在を自動的に認識する。
【０１２６】
したがって、ユーザは、オンデマンドでの医者、在宅ヘルプ映像、ガーデニングの映像、オフィスサポート、オンラインショッピングインプリメンテーション、外部委託された機器製造元のヘルプセンタ接続状況等に関する情報を受信することができる。
【０１２７】
図４では、コンテンツアプリケーション６０ａおよびWWWユーザアクセス６０ｂに関するセクションはまた、いわゆるバーチャルサポートおよびバックアップ２０００を備える家庭またはオフィスである。
【０１２８】
図４からは、前記無線通信装置１０はまた、前記データネットワークの前記プロバイダから、リモートアプリケーションサービスと、ファームウェアアップグレード８０とを受信することがわかるであろう。
【０１２９】
さらに、図４から明らかなように、前記無線通信装置１０は、煙および／またはガスおよび／または水センサ１３あるいは非常ボタン１４を装備することができる。前記非常ボタン１４を押すと、本発明の前記通信システムによって、データネットワークを通じて、警察、消防署または救急隊への接続が確立される。
【０１３０】
さらに、前記無線通信装置の周囲でのガス、水、煙のような非常事態の場合、ユーザの携帯電話またはＰＤＡもしくは任意の他の携帯端末装置は、データネットワークを通じて、前記非常事態発生に関するＳＭＳまたは電子メールを受信して、これによって前記無線通信装置のユーザに警告することができる。
【０１３１】
当業者においては、技術が進歩するに従い、本発明の概念は数多くの方法で実施することができることが明白である。したがって、本発明およびその実施形態は、上述された例および特定の実施形態に限定されず、特許請求の範囲の範囲内で改変してもよい。
【図面の簡単な説明】
【０１３２】
【図１Ａ】本発明のデータ通信システムの実施形態の体系的なステップを図示する。
【図１】異なる家庭用またはオフィス用機器との無線通信装置の配置を図示する。
【図２】データネットワークとのブロードバンドインターネット接続を有する異なる家庭用またはオフィス用機器との無線通信を有する無線通信装置の配置を図示する。
【図３】コンテンツ配信およびユーザ通信の詳細を図示する。
【図４】コンテンツアプリケーションと、家庭用またはオフィス用機器および携帯端末装置を備える無線通信装置のBluetoothおよびZigBee接続との詳細を図示する。
【図１】
2009517899.tif 000003
【図２】
2009517899.tif 000004
【図３】
2009517899.tif 000005
【図４】
2009517899.tif 000006
【国際調査報告】
2009517899.tif 000007
2009517899.tif 000008
2009517899.tif 000009